(57)【要約】【課題】処置具起上台駆動用の操作ワイヤが組み込まれていない汎用の内視鏡でも処置具の突出方向を制御して、処置具を小さな操作力量で進退させることができる内視鏡の処置具起上装置付先端フードを提供すること。【解決手段】挿入部１１の先端面に形成された処置具突出口１４ｏから前方に突出される処置具１００の先端部分の向きを変換するための処置具起上台２２が前後方向にスライド自在に先端フード筒２１の内周部に配置されると共に、処置具起上台２２をスライド駆動するための操作ワイヤ２３が挿入部１１外に配置され、操作ワイヤ２３を挿入部１１の基端側から進退操作することにより、処置具起上台２２が先端フード筒２１の内周部で前後方向にスライドして処置具１００の先端部分の突出方向が制御される。【選択図】      図１
2009273665.tif 000002
【特許請求の範囲】
【請求項１】
内視鏡の挿入部の先端に着脱自在に取り付けられる先端フード筒が前方に向かって開口する筒状に形成されて、上記挿入部の先端面に形成された処置具突出口から前方に突出される処置具の先端部分の向きを変換するための処置具起上台が前後方向にスライド自在に上記先端フード筒の内周部に配置されると共に、上記処置具起上台をスライド駆動するための操作ワイヤが上記挿入部外に配置され、上記操作ワイヤを上記挿入部の基端側から進退操作することにより、上記処置具起上台が上記先端フード筒の内周部で前後方向にスライドして上記処置具の先端部分の突出方向が制御されることを特徴とする内視鏡の処置具起上装置付先端フード。
【請求項２】
上記先端フード筒が弾力性のある材料で形成され、上記処置具起上台は、上記先端フード筒とは異なる滑りのよい材料で形成されている請求項１記載の内視鏡の処置具起上装置付先端フード。
【請求項３】
上記処置具突出口が上記挿入部の先端面の中心位置から周辺寄りに偏位して配置され、上記先端フード筒の内周部の上記処置具突出口に最も近い位置に上記処置具起上台が配置されている請求項１又は２記載の内視鏡の処置具起上装置付先端フード。
【請求項４】
上記処置具突出口から突出された処置具の先端部分を案内するための処置具案内路が上記処置具起上台に形成されていて、その処置具案内路は、後端部が上記処置具突出口の前方を塞がない位置にあって、前方へいくにしたがって次第に上記処置具突出口の前方を塞ぐ位置に移行する斜面状に形成されている請求項３記載の内視鏡の処置具起上装置付先端フード。
【請求項５】
上記処置具起上台が前後方向にスライド動作をするためのガイドとなるガイド溝が上記先端フード筒の内周部に形成されている請求項１ないし４のいずれかの項に記載の内視鏡の処置具起上装置付先端フード。
【発明の詳細な説明】
【技術分野】
【０００１】
この発明は、内視鏡の挿入部の先端に着脱自在に取り付けられる処置具起上装置付先端フードに関する。
【背景技術】
【０００２】
内視鏡の先端フードは、前方に向かって開口する筒状に弾力性のある材料で形成されたものが一般的であり、内視鏡の挿入部先端から突出される処置具の先端部分の向きを制御するための処置具起上台が先端フード筒に形成された処置具起上装置付先端フードもある（例えば、特許文献１）。
【特許文献１】特開昭５４−８８６８１  第４図、第６図等
【発明の開示】
【発明が解決しようとする課題】
【０００３】
特許文献１に記載された内視鏡の処置具起上装置付先端フードでは、内視鏡の挿入部内に挿通配置された操作ワイヤにより処置具起上台又は先端フード全体を駆動し、それによって処置具の先端部分の向きが制御されるようになっている。したがって、そのような駆動用の操作ワイヤが組み込まれた専用の内視鏡でしか使用することができなかった。
【０００４】
また、処置具起上台が弾力性のあるゴム材等からなる先端フード自体で形成されているので、処置具の進退動作に対する摩擦抵抗が大きく、そのため処置具が最大限に起上した状態等では処置具の進退操作が重くなって操作性が悪かった。
【０００５】
本発明は、処置具起上台駆動用の操作ワイヤが組み込まれていない汎用の内視鏡でも処置具の突出方向を制御して、処置具を小さな操作力量で進退させることができる内視鏡の処置具起上装置付先端フードを提供することを目的とする。
【課題を解決するための手段】
【０００６】
上記の目的を達成するため、本発明の内視鏡の処置具起上装置付先端フードは、内視鏡の挿入部の先端に着脱自在に取り付けられる先端フード筒が前方に向かって開口する筒状に形成されて、挿入部の先端面に形成された処置具突出口から前方に突出される処置具の先端部分の向きを変換するための処置具起上台が前後方向にスライド自在に先端フード筒の内周部に配置されると共に、処置具起上台をスライド駆動するための操作ワイヤが挿入部外に配置され、操作ワイヤを挿入部の基端側から進退操作することにより、処置具起上台が先端フード筒の内周部で前後方向にスライドして処置具の先端部分の突出方向が制御されるものである。
【０００７】
なお、先端フード筒が弾力性のある材料で形成され、処置具起上台は、先端フード筒とは異なる滑りのよい材料で形成されているとよい。また、処置具突出口が挿入部の先端面の中心位置から周辺寄りに偏位して配置され、先端フード筒の内周部の処置具突出口に最も近い位置に処置具起上台が配置されていてもよい。
【０００８】
その場合、処置具突出口から突出された処置具の先端部分を案内するための処置具案内路が処置具起上台に形成されていて、その処置具案内路は、後端部が処置具突出口の前方を塞がない位置にあって、前方へいくにしたがって次第に処置具突出口の前方を塞ぐ位置に移行する斜面状に形成されていてもよい。また、処置具起上台が前後方向にスライド動作をするためのガイドとなるガイド溝が先端フード筒の内周部に形成されていてもよい。
【発明の効果】
【０００９】
本発明によれば、挿入部に対し分離された状態に配置された操作ワイヤを挿入部の基端側から進退操作することにより、処置具起上台が先端フード筒の内周部で前後方向にスライドして、処置具起上台駆動用の操作ワイヤが組み込まれていない汎用の内視鏡でも処置具の突出方向を制御することができ、また、処置具を小さな操作力量で進退させることができる。
【発明を実施するための最良の形態】
【００１０】
内視鏡の挿入部の先端に着脱自在に取り付けられる先端フード筒が前方に向かって開口する筒状に形成されて、挿入部の先端面に形成された処置具突出口から前方に突出される処置具の先端部分の向きを変換するための処置具起上台が先端フード筒とは異なる滑りのよい材料で形成されて前後方向にスライド自在に先端フード筒の内周部に配置されると共に、処置具起上台をスライド駆動するための操作ワイヤが挿入部外に配置され、操作ワイヤを挿入部の基端側から進退操作することにより、処置具起上台が先端フード筒の内周部で前後方向にスライドして処置具の先端部分の突出方向が制御されるものである。
【実施例】
【００１１】
以下、図面を参照して本発明の実施例を説明する。
図３は内視鏡１０と処置具起上装置付先端フード２０を並べて、各々の全体構成を示している。
【００１２】
内視鏡１０には、可撓性の挿入部１１が設けられていて、その先端に連結された先端部本体１２に、図示されていない観察窓や照明窓等が配置されている。１３は、挿入部１１の基端に連結された操作部である。
【００１３】
挿入部１１内には、処置具を挿脱するための可撓性チューブからなる処置具挿通チャンネル１４が全長にわたり挿通配置されていて、処置具挿通チャンネル１４の入口である処置具挿入口１４ｉは操作部１３の下端部付近に配置され、処置具挿通チャンネル１４の出口である処置具突出口１４ｏは先端部本体１２の先端面に前方に向けて（図において下方に向けて）開口している。
【００１４】
処置具起上装置付先端フード２０には、先端部本体１２に着脱自在に取り付けられる先端フード筒２１が設けられ、処置具突出口１４ｏから前方に突出される処置具の先端部分の向きを変換するための処置具起上台２２が先端フード筒２１内に配置されている。
【００１５】
また、処置具起上台２２をスライド駆動するための操作ワイヤ２３が先端フード筒２１の後端部から後方に引き出されて、柔軟なガイドシース２４内に軸線方向に進退自在に操作ワイヤ２３が挿通配置されている。
【００１６】
３０は、そのような操作ワイヤ２３を基端部側から進退操作するためにガイドシース２４の基端に連結された処置具起上操作部であり、操作ワイヤ２３の基端が連結された起上操作片３１を矢印Ａ方向に進退操作することにより、操作ワイヤ２３が軸線方向に進退する。
【００１７】
３２は、操作ワイヤ２３が進退動作しない状態にロックするためのロックレバーであり、矢印Ｂ方向に回動させると、操作ワイヤ２３が内視鏡１０内で一対の保持部材３３，３４の間にきつく挟み込まれて、ロック状態になる。
【００１８】
図４は先端フード筒２１の側面断面図である。ただし、図３とは向きを変えて、左方向を先端方向（図３において下方）にして図示してある。図５と図６は、図４に対応する平面断面図と正面図である。
【００１９】
先端フード筒２１は、弾力性のあるゴム材等により前後両方向に開口する略円筒状に形成されて、先端フード筒２１の外表面は前後方向の中央部分が膨らんだ緩やかな円弧状に形成されている。
【００２０】
先端フード筒２１の後半部分（図４及び図５において右半部）は、少し広がった状態に弾性変形させることにより、内視鏡１０の先端部本体１２の外周面を弾力的に締め付ける状態に先端部本体１２に対し着脱自在である。２１ａは、先端部本体１２の先端面の縁部に当接するように、内方に突出形成された位置決めストッパである。
【００２１】
処置具起上台２２は、先端フード筒２１とは異なる滑りのよい材料（例えば、ステンレス鋼等のような硬質の金属材又はフッ素樹脂等のような滑りのよい合成樹脂材）で形成されている。
【００２２】
そして、処置具起上台２２には、内視鏡１０の処置具突出口１４ｏから突出された処置具の先端部分を案内するための処置具案内路２２ａが、先端フード筒２１の中心軸線に臨む側の位置に図６に示されるように凹んで形成されている。
【００２３】
先端フード筒２１の内周部には、図４及び図５に示されるように、処置具起上台２２が前後方向にスライド動作をするためのガイドとなるガイド溝２５が形成されており、処置具起上台２２はガイド溝２５に緩く嵌め込まれた状態を保って前後方向（図において左右方向）に進退自在である。
【００２４】
処置具起上台２２の後端には操作ワイヤ２３の先端が連結されていて、操作ワイヤ２３をガイドするガイドシース２４の先端が、先端フード筒２１の後半部に固定的に連結されて後方に真っ直ぐ延出している。
【００２５】
その結果、操作部３０において起上操作片３１をスライド操作することにより（図３の矢印Ａ参照）、図４に矢印Ｃで示されるように操作ワイヤ２３が軸線方向に進退し、それによって矢印Ｄで示されるように、処置具起上台２２がガイド溝２５に沿って進退駆動される。
【００２６】
図７は、処置具起上装置付先端フード２０が内視鏡１０に取り付けられた状態の全体構成を示しており、先端フード筒２１が内視鏡１０の先端部本体１２に取り付けられ、操作ワイヤ２３を案内するガイドシース２４が内視鏡１０の挿入部１１の外面に沿って配置され、適宜の締め付けバンド４０等で挿入部１１の外面に留められている。
【００２７】
図８は、処置具起上装置付先端フード２０が内視鏡１０に取り付けられた状態の側面断面図であり、図４等と同様に、左方向を先端方向（図７において下方）にして図示してある。図９と図１０は、その斜視図である。
【００２８】
図８と図９に示されるように、処置具突出口１４ｏは先端部本体１２の先端面の中心位置から周辺寄りに偏位して配置されていて、先端フード筒２１の内周部の処置具突出口１４ｏに最も近い位置に処置具起上台２２が配置されている。
【００２９】
処置具起上台２２の処置具案内路２２ａの後端部（図８において右端部）は処置具突出口１４ｏの前方を塞がない位置にある。したがって、処置具の先端が処置具突出口１４ｏから処置具案内路２２ａにスムーズに誘導される。そして、処置具案内路２２ａは、前方へいくにしたがって次第に先端フード筒２１の軸線位置に近づいて処置具突出口１４ｏの前方を塞ぐ位置に移行する斜面状に形成されている。ガイドシース２４は、図８と図１０に示されるように、先端部本体１２の外周面から挿入部１１に沿って後方に延出されている。
【００３０】
図１は、処置具挿通チャンネル１４に通された処置具１００の先端部分が処置具突出口１４ｏから前方に突出した状態を示しており、処置具突出口１４ｏから突出された処置具１００の先端部分は、斜面状に形成された処置具案内路２２ａにより先端フード筒２１の軸線に近づく方向に斜めに少し向きが変えられている。
【００３１】
そして、図２に示されるように、操作ワイヤ２３が基端側から牽引操作されて（矢印Ｃ）、処置具起上台２２が先端フード筒２１の内周部で後方にスライドすると（矢印Ｄ）、処置具１００の先端部分の突出方向がより大きな角度で先端フード筒２１の軸線に近づく方向に変えられる（矢印Ｅ）。
【００３２】
そして、操作ワイヤ２３が基端側から押し込み操作されれば、逆の動作によって図１に示される元の状態に戻される。また、処置具起上操作部３０でロックレバー３２を操作すれば任意の状態を固定することができる。
【００３３】
このようにして、処置具起上台２２を駆動するための操作ワイヤ２３が組み込まれていない汎用の内視鏡１０でも、処置具起上装置付先端フード２０を取り付けることにより、処置具１００の突出方向を任意に制御することができ、処置具起上台２２が先端フード筒２１と相違する滑りのよい材料で形成されているので、処置具１００を小さな操作力量で進退させることができる。
【図面の簡単な説明】
【００３４】
【図１】本発明の実施例の内視鏡の処置具起上装置付先端フードによる処置具の突出状態を示す側面断面図である。
【図２】本発明の実施例の内視鏡の処置具起上装置付先端フードによる処置具の突出方向制御状態を示す側面断面図である。
【図３】内視鏡と処置具起上装置付先端フードの各々の全体構成を一部断面で示す側面図である。
【図４】本発明の実施例の内視鏡の処置具起上装置付先端フードの側面断面図である。
【図５】本発明の実施例の内視鏡の処置具起上装置付先端フードの平面断面図である。
【図６】本発明の実施例の内視鏡の処置具起上装置付先端フードの正面図である。
【図７】処置具起上装置付先端フードが内視鏡に取り付けられた状態の全体構成を一部断面で示す側面図である。
【図８】処置具起上装置付先端フードが内視鏡に取り付けられた状態の側面断面図である。
【図９】処置具起上装置付先端フードが内視鏡に取り付けられた状態の斜視図である。
【図１０】処置具起上装置付先端フードが内視鏡に取り付けられた状態の斜視図である。
【符号の説明】
【００３５】
１０  内視鏡
１１  挿入部
１２  先端部本体
１４  処置具挿通チャンネル
１４ｏ  処置具突出口
２０  処置具起上装置付先端フード
２１  先端フード筒
２２  処置具起上台
２２ａ  処置具案内路
２３  操作ワイヤ
２４  ガイドシース
２５  ガイド溝
３０  処置具起上操作部
１００  処置具
【図１】
2009273665.tif 000003
【図２】
2009273665.tif 000004
【図３】
2009273665.tif 000005
【図４】
2009273665.tif 000006
【図５】
2009273665.tif 000007
【図６】
2009273665.tif 000008
【図７】
2009273665.tif 000009
【図８】
2009273665.tif 000010
【図９】
2009273665.tif 000011
【図１０】
2009273665.tif 000012